(57)【要約】   【課題】操作性が良く薄型で押鍵速度を精度良く検出することができる鍵盤装置を提供する。  【解決手段】押圧力が強くなると、ゴムスイッチのスカート部４２ｉが膨らみ始め、第１の可動接点がプリント配線基板４０ａに形成された第１の固定接点に接触する。この状態では、第１の可動接点４２ａの上部に形成された突起４２ｄの上部と鍵のアクチュエータ部３０ｆとの間には隙間があり、第２の可動接点４２ｂとプリント配線基板４０ａに形成された第２の固定接点との間にも間隙がある。  さらに被駆動部が下方に駆動されると、第２の可動接点４２ｂがプリント配線基板４０ａに形成された第２の固定接点に接触するとほぼ同時に鍵のアクチュエータ部３０ｆと第１の可動接点４２ａの上部に形成された突起４２ｄの上面とが当接する。  【選択図】    図７
2005208468.tif 000002
【特許請求の範囲】
【請求項１】
内部に可動接点を有する筒状部からなる被駆動部と、その被駆動部を支持するスカート部とを弾性材により一体成形してなるスイッチと、前記被駆動部を駆動する回動自在な鍵と、前記可動接点に対向して形成された固定接点を有する基板とを備えた鍵盤装置において、
鍵がスイッチの被駆動部の駆動を開始した状態において前記スイッチの可動接点の上面と鍵の可動接点に対応する部位との間に空隙を設け、押鍵に従って前記可動接点が前記固定接点に接触した後、前記鍵の可動接点に対応する部位が前記可動接点の上面に当接することを特徴とする鍵盤装置。
【請求項２】
前記スイッチの可動接点の上部に前記スイッチを構成する弾性材により突起を設けたことを特徴とする請求項１記載の鍵盤装置。
【請求項３】
前記鍵側の前記スイッチの可動接点に対向する位置に突起を設けたことを特徴とする請求項１記載の鍵盤装置。
【請求項４】
第１の可動接点を有する第１の筒状部と第２の可動接点を有する第２の筒状部とからなる被駆動部と、前記被駆動部を支持するスカート部とを弾性材により一体成形してなるスイッチと、前記被駆動部を駆動する回動自在な鍵と、前記第１の可動接点に対向して形成された第１の固定接点と前記第２の可動接点に対向して形成された第２の固定接点とを有する基板とを有し、鍵の押下に応じて先に第１の可動接点が第１の固定接点に接触し、次に第２の可動接点が第２の固定接点に接触するように構成された鍵盤装置において、
鍵がスイッチの被駆動部の駆動を開始した状態において前記第１の可動接点とその第１の可動接点に対応する鍵の部位との間に空隙を設け、鍵の押下に応じて前記第１の可動接点が前記固定接点に接触した後、前記鍵の第１の可動接点に対応する部位が前記第１の可動接点の上面に当接することを特徴とする鍵盤装置。
【請求項５】
請求項４記載の鍵盤装置において、
鍵がスイッチの被駆動部の駆動を開始した状態において前記第１の可動接点とその第１の可動接点に対応する鍵の部位との間に空隙を設け、鍵の押下に応じて前記第１の可動接点が前記第１の固定接点に接触した後であって、ほぼ前記第２の可動接点が前記第２の固定接点に接触する時、前記鍵の第１の可動接点に対応する部位が前記第１の可動接点の上面に当接することを特徴とする鍵盤装置。
【請求項６】
前記スイッチの第１の可動接点の上部に前記スイッチを構成する弾性材により突起を設けたことを特徴とする請求項４又は５記載の鍵盤装置。
【請求項７】
前記鍵側の前記スイッチの第１の可動接点に対向する部位に突起を設けたことを特徴とする請求項４又は５記載の鍵盤装置。
【発明の詳細な説明】
【技術分野】
【０００１】
本発明は、音楽を演奏するための鍵盤装置であって、特にコンピュータに演奏情報等を入力するのに適した鍵盤装置に関する。
【背景技術】
【０００２】
従来、鍵盤と音源とを備え、手軽に鍵盤を演奏して音楽を楽しむことができる電子楽器が提供されている。一方、パーソナルコンピュータを用いて新たな曲を作曲したり、すでにある曲を編曲したりすることが行われている。また、パーソナルコンピュータがいわゆるソフトシンセサイザーと呼ばれるプログラムを実行することにより楽音を生成する機能を持つようになり、パーソナルコンピュータの文字などを入力するためのキーボードのような感覚で演奏を行ったり演奏データを入力することができる鍵盤装置が望まれている。
【０００３】
このような鍵盤装置は、特にコンパクトで薄く、且つ、鍵のストロークが通常の鍵盤に比べて短いが正確に押鍵速度や離鍵速度を検出することが要求される。
【０００４】
例えば、特開平９−２７４４８２号公報（特許文献１）に開示されている鍵盤装置では、複数の白鍵および黒鍵を薄肉鋼板を絞り加工により形成し、互いに隣接する鍵の隙間を抜き加工することにより削除して少なくともオクターブの鍵を一体に形成した薄型の鍵盤装置が開示されている。この鍵盤装置において、各鍵の下部に設けられたゴムスイッチは、押鍵により押し下げられ、２つの導電ゴム接点が順次プリント配線基板に設けられた固定接点に接触するように構成され、この２つの接点が導通する時間差により押鍵速度が検出される。
【特許文献１】特開平９−２７４４８２号公報（例えば、図４）
【発明の開示】
【発明が解決しようとする課題】
【０００５】
しかしながら、特許文献１に開示された鍵盤装置のゴムスイッチは、押鍵速度を検出することはできるが、タッチ感が悪く、特に鍵盤を押しきったときの指に対する反力の感じが良くないとともに、固定接点と可動接点の接触時にチャタリングが発生し、正確な押鍵速度を検出することが困難であるという問題点があった。特に、押鍵速度を検出するために、鍵の押下に応じて、先に第１の可動接点が第１の固定接点に接触し、次に第２の可動接点が第２の固定接点に接触する構成となっている。そのため、第１の可動接点が第１の固定接点に接触した後、さらに鍵が押下されて第２の可動接点が第２の固定接点に接触する間も第１の可動接点を安定して第２の固定接点に押圧し続ける必要がある。
【０００６】
しかしながら、第１の可動接点が第１の固定接点に接触した後、さらに鍵が押下されて第１の可動接点を押圧している部位が変形する過程で歪みが発生し、チャタリングを起こすことがある。特に第２の可動接点が第２の固定接点に接触し、第２の可動接点を押圧している部位が変形を始めると、第１の可動接点に影響を及ぼすことがある。
【０００７】
また、鍵に対して、クリック感を与える必要があるが、クリック感を与えた以降は、スムーズに鍵が最下部まで回動し、操作感のよい鍵盤装置にする必要もある。
【０００８】
本発明は、上記問題点を解決するためになされたものであり、操作感が良く、薄型で押鍵速度を精度良く検出することができる鍵盤装置を提供することを目的とする。
【課題を解決するための手段】
【０００９】
この目的を達成するために、請求項１記載の鍵盤装置は、内部に可動接点を有する筒状部からなる被駆動部と、その被駆動部を支持するスカート部とを弾性材により一体成形してなるスイッチと、前記被駆動部を駆動する回動自在な鍵と、前記可動接点に対向して形成された固定接点を有する基板とを備えた鍵盤装置であって、鍵がスイッチの被駆動部の駆動を開始した状態において前記スイッチの可動接点の上面と鍵の可動接点に対応する部位との間に空隙を設け、押鍵に従って前記可動接点が前記固定接点に接触した後、前記鍵の可動接点に対応する部位が前記可動接点の上面に当接するように構成されている。
【００１０】
請求項２記載の鍵盤装置は、請求項１記載の鍵盤装置において、前記スイッチの可動接点の上部に前記スイッチを構成する弾性材により突起を設けている。
【００１１】
請求項３記載の鍵盤装置は、請求項１記載の鍵盤装置において、前記鍵側の前記スイッチの可動接点に対向する位置に突起を設けている。
【００１２】
請求項４記載の鍵盤装置は、第１の可動接点を有する第１の筒状部と第２の可動接点を有する第２の筒状部とからなる被駆動部と、前記被駆動部を支持するスカート部とを弾性材により一体成形してなるスイッチと、前記被駆動部を駆動する回動自在な鍵と、前記第１の可動接点に対向して形成された第１の固定接点と前記第２の可動接点に対向して形成された第２の固定接点とを有する基板とを有し、鍵の押下に応じて先に第１の可動接点が第１の固定接点に接触し、次に第２の可動接点が第２の固定接点に接触するように構成された鍵盤装置であって、鍵がスイッチの被駆動部の駆動を開始した状態において前記第１の可動接点とその第１の可動接点に対応する鍵の部位との間に空隙を設け、鍵の押下に応じて前記第１の可動接点が前記固定接点に接触した後、前記鍵の第１の可動接点に対応する部位が前記第１の可動接点の上面に当接するように構成されている。
【００１３】
請求項５記載の鍵盤装置は、請求項４記載の鍵盤装置であって、鍵がスイッチの被駆動部の駆動を開始した状態において前記第１の可動接点とその第１の可動接点に対応する鍵の部位との間に空隙を設け、鍵の押下に応じて前記第１の可動接点が前記第１の固定接点に接触した後であって、ほぼ前記第２の可動接点が前記第２の固定接点に接触する時、前記鍵の第１の可動接点に対応する部位が前記第１の可動接点の上面に当接するように構成されている。
【００１４】
請求項６記載の鍵盤装置は、請求項４又は５記載の鍵盤装置において、前記スイッチの第１の可動接点の上部に前記スイッチを構成する弾性材により突起を設けている。
【００１５】
請求項７記載の鍵盤装置は、請求項４又は５記載の鍵盤装置において、前記鍵側の前記スイッチの第１の可動接点に対向する部位に突起を設けている。
【発明の効果】
【００１６】
請求項１記載の鍵盤装置によれば、離鍵状態において被駆動面と可動接点の上面との間に空隙を設け、押鍵に従って可動接点が固定接点に接触した後、鍵が可動接点の上面に当接するように構成したので、鍵を押下する場合に、可動接点が固定接点に接触した後、可動接点を固定接点に確実に押しつけることができるので、チャタリングの発生を防止することができるという効果がある。
【００１７】
請求項４記載の鍵盤装置によれば、第１の可動接点が固定接点に接触した後、第１の可動接点の上面が鍵に当接し、さらに鍵が押下されて第２の可動接点が固定接点に接触するので、第１の可動接点と固定接点との間のチャタリングを防止することができので、正確な鍵速度を検出することができるという効果がある。
【００１８】
請求項５記載の鍵盤装置によれば、請求項４記載の鍵盤装置の奏する効果に加え、第１の可動接点が第１の固定接点に接触した後、第２の可動接点が第２の固定接点に接触し、その第２の可動接点が原因で第１の可動接点がチャタリングを発生することを防止することができるという効果がある。
【００１９】
請求項２又は６記載の鍵盤装置によれば、請求項１又は４又は５記載の鍵盤装置の奏する効果に加え、スイッチの可動接点の上部に前記スイッチを構成する弾性材により突起を設けているので、簡単な構成でチャタリングを防止することができるとともに、突起が弾性材であるので、鍵を押下した場合の反力が緩和され操作感が良いという効果がある。
【００２０】
請求項３又は７記載の鍵盤装置によれば、請求項１又は４又は５記載の鍵盤装置の奏する効果に加え、鍵に突起を形成するという簡単な構成でチャタリングを防止できるという効果がある。
【発明を実施するための最良の形態】
【００２１】
以下、本発明の好ましい実施例について、添付図面を参照して説明する。図１は、本発明の実施の形態の一例による鍵盤装置１の適用例の外観斜視図である。この外観斜視図には、上部パネル２に複数のボリュームツマミ３と表示器４と複数のスイッチ５とベンダー６とが備えられていて、複数の白鍵３０ａおよび黒鍵３２ａにより構成される２オクターブ（正確には２オクターブ＋１）の鍵盤部と底板部材１０とが示されている。
【００２２】
また、この図には示されていないが、この鍵盤装置１の背面には、電源スイッチと各種ジャック類が備えられている。ジャック類としては、ＭＩＤＩ信号を入出力したりデジタルオーディオ信号の通信を行うことができ、パーソナルコンピュータの通信規格であるＵＳＢ（Universal Serial Bus）やオーディオ信号の入出力のジャックやヘッドホン用のジャックが備えれらている。
【００２３】
この鍵盤装置１は、主としてパーソナルコンピュータを用いて演奏データを作成したり、編集することを使用目的とするもので、机上で使用されるためにコンパクトで薄型であるが、正確に押鍵速度（ベロシティ）を検出することができる。特に、この鍵盤装置１では、薄型にするために、鍵のストロークを通常の鍵盤のストロークより短く設定している。
【００２４】
また、この鍵盤装置１は、図示しないＣＰＵやＲＯＭやＲＡＭなどにより構成されるマイクロコンピュータが備えられ、鍵や各種操作子が演奏者により操作されると、これらの操作状態が検出されて、ＵＳＢを介してノートオンオフやコントロールチェンジなどのＭＩＤＩメッセージが出力される。この鍵盤装置１とＵＳＢを介して接続されたパーソナルコンピュータは、このＭＩＤＩメッセージを受信し、そのＭＩＤＩメッセージに対応したデジタルオーディオ信号をＵＳＢを介して送信し、鍵盤装置１は、Ｄ／Ａ変換器を備えていて、このデジタルオーディオ信号をアナログオーディオ信号に変換し、演奏者はヘッドホン等を使用して聞くことができる。
【００２５】
各種ボリュームツマミ３は、そのオーディオ信号の音量を調節したり、その他のパラメータを任意に設定することができるものである。これらのパラメータを設定するボリュームツマミ３には、ＭＩＤＩメッセージを割り当てることができる。
【００２６】
表示器４は、設定されたＭＩＤＩチャネルや、パラメータの値を表示するもので、３桁の７セグメントと各種機能を表すドットなどがＬＣＤにより構成されている。
【００２７】
各種スイッチ５は、鍵盤などの操作子にＭＩＤＩチャネルを割り当てたり、上述のパラメータを設定するボリュームツマミ３にＭＩＤＩメッセージを割り当てる機能などが設定されている。
【００２８】
ベンダー６は、鍵の並び方向に揺動操作することができる操作子で、演奏者により操作されていない時は、中点に維持され、左方向または右方向へ操作されると楽音の高さを下へ又は上へ制御する制御信号であるＭＩＤＩメッセージのベンダー情報が出力される。
【００２９】
これらの各種ボリューム３、表示器４、スイッチ５およびベンダー６は、図示しないプリント基板にハンダ付けされ、そのプリント基板は、樹脂により成形されている上部パネル２に、螺子止めされている。
【００３０】
図２は、鍵の分解斜視図であって、２種類の白鍵ユニット３０、３０ｄと１種類の黒鍵ユニット３２により１オクターブの鍵が構成されている。白鍵ユニット３０は、音名がＤ、Ｆ、Ａの３つの白鍵３０ａと、白鍵３０ａの後端に揺動自在に接続するヒンジ部３０ｃと、そのヒンジ部３０ｃを介して鍵の並び方向に延びる鍵支持部３０ｆとが樹脂で一体成形されたものである。同様に、白鍵ユニット３０ｄは、音名がＣ、Ｅ、Ｇ、Ｂの４つの白鍵３０ａと、ヒンジ部３０ｉと鍵支持部３０ｊとが樹脂で一体成形され、黒鍵ユニット３２は、音名Ｃ＃、Ｄ＃，Ｆ＃、Ｇ＃、Ａ＃の５つの黒鍵３２ａとヒンジ部３２ｃと鍵支持部３２ｄとが一体成形されたものである。
【００３１】
これらの３つの鍵ユニットが下から黒鍵ユニット３２、白鍵ユニット３０ｄ、白鍵ユニット３０の順で鍵支持部が重ねられ、底板部材１０に形成された鍵基部１０ｂ（図３参照）に螺子で固着される。その際、鍵基部１０ｂに設けられたガイドピン１０ｃに黒鍵ユニットのガイド穴３２ｅと白鍵ユニット３ｄのガイド穴３０ｈと白鍵ユニット３０のガイド穴３０ｇが嵌め込まれ、黒鍵ユニットの螺子穴３２ｂと白鍵ユニット３０ｄの螺子穴３０ｅと白鍵ユニット３０の螺子穴３０ｂに螺子が挿入され、鍵基部１０ｂに設けられた螺子穴１０ｄに螺子止めされる。
【００３２】
図１に示す鍵盤装置１では、２オクターブと１つの白鍵から構成される２５鍵の鍵盤装置となっているが、この場合には、一組の低いオクターブの鍵域は、上記に説明した白鍵ユニット３０、３０ｄ、３２により構成し、もう一組の鍵域は、白鍵ユニット３０ａにさらに一つの白鍵（音名Ｃ）を追加した鍵ユニットと白鍵ユニット３０ｄと黒鍵ユニット３２とを用いて構成されている。
【００３３】
図３は、底板部材１０と補強部材２０とスイッチ基板部４０の分解斜視図である。スイッチ基板部４０は、各鍵が押下された場合にその速度に応じた時間差で導通する２つの可動接点を有する複数のゴムスイッチ４２と、それらのスイッチの導通状態を検出するための配線回路が形成されたプリント配線基板４０ａにより構成されている。
【００３４】
プリント配線基板４０ａには、補強部材２０に取り付けられる際に、各スイッチが各鍵に対応する正確な位置に配置されるよう、底板部材１０に設けられた位置決め用の突起１０ｉに嵌合するスリット４０ｂが設けられている。また、プリント配線基板４０ａには、各スイッチの接続状態を検出するための配線が接続されるコネクタ４４がハンダ付けされている。
【００３５】
補強部材２０は、樹脂により成形された底板部材１０に螺子で固着される鋼板製のプレス加工された部材である。底板部材１０は、樹脂で成形されるため、安価で軽量であり、生産性も良いが、歪みやすく特に温度変化などにより経年変化を起こしやすい。そのため、樹脂だけでは、押鍵速度を精度良く検出することは困難である。そこで、本発明による鍵盤装置では、鋼板製の補強部材２０の底面全面を底板部材１０の平面に密着させ、固着することにより、底板部材１０の歪みや変形を防止している。この補強部材２０の底面の幅は、少なくともこの鍵盤装置１が有する全ての鍵（この実施例では２５鍵）の幅を有し、奥行きは、少なくとも黒鍵の長さを有するものである。このことにより、鍵盤装置１の幅方向の平面性が確保できるとともに、奥行き方向については、鍵の支点から鍵の速度を検出するゴムスイッチ間の剛性を確保することができ、精度良く速度を検出することができる。なお、本実施例では、より底板部材１０の剛性を確保するために、補強部材２０の底面の幅を白鍵の長さに近いものとしている。
【００３６】
この補強部材２０は、底板部材１０の底部の平面に明けられた螺子穴１０ｆにタッピング螺子が挿入され、補強部材２０に設けられた螺子穴２０ｃにより螺子止めされる。
【００３７】
また、補強部材２０の全周囲は、底面に対して直角に鋼板が折り曲げられ、強度を得るとともに、５カ所に鋼板を打ち抜いて折り曲げることによりリブ２０ｂを形成し、さらに強度を得ている。
【００３８】
また、この補強部材２０の中央部には、補強部材２０を折り曲げて形成した鍵ガイド２０ｄが形成され、この鍵ガイド２０ｄを形成するための鋼板が打ち抜かれた長穴２０ｆが形成される（後述）。底板部材１０には、プリント配線基板４０ａを支持する基板受け１０ｇが形成され、この基盤受け１０ｇを逃げる逃げ穴２０ｇおよびプリント配線基板４０ａの位置決めをするための突起１０ｉを逃げる逃げ穴２０ｉが形成されている。なお、補強部材２０に使用される鋼板は、亜鉛メッキなどの防錆処理がなされているものが望ましい。
【００３９】
底板部材１０は、本鍵盤装置１の底板であって、上部パネル２を螺子で固着することにより、本鍵盤装置１の筐体を形成する。底板部材１０の外周部には複数の螺子穴を有するボス１０ａが形成され、上パネル２には、これらのボス１０ａ対応する位置にボスが形成され、螺子により固着される。また、底板部材１０の後方には、各種ジャック類が配置される貫通孔１０ｅが複数形成されている。また、後述するように、プリント配線基盤４０ａを支持する基板受け１０ｇと鍵の支点を支持する突起１０ｊとが鍵の並び方向に延設され、プリント配線基板４０ａを組み付ける場合に位置決めを行う位置決め用突起１０ｉおよび鍵ストッパ１２が貼り付けられる窪み１０ｈが形成されている。
【００４０】
図４は、本鍵盤装置の底板部材１０に補強部材２０と、プリント配線基板４０ａと鍵ユニット３０、３０ｄ、３２を組み付け、白鍵ユニット３０ｄの白鍵３０ａを鍵の長手方向に断面視した図である。上述の通り、底板部材１０に補強部材２０が組み付けられ、補強部材２０には、プリント配線基板４０ａが搭載され、プリント配線基板４０ａには、各スイッチの接続状態を検出するための回路が設けられ、回路を構成するダイオード４６がハンダ付けされている。
【００４１】
プリント配線基板４０ａは、補強部材２０の底に設けられた穴に挿入されて、かしめにより固着された真鍮により形成されるナット２０ａと底板部材１０に形成された突起である基板受け１０ｇとの上に配置され、螺子２０ｅにより螺子止めされる。基板受け１０ｇとプリント配線基板４０ａとは、両面テープにより接着され、鍵が押下された場合に、プリント配線基板４０ａに設けられたゴムスイッチ４２にかかる荷重を支えている。
【００４２】
補強部材２０には、基板受け１０ｇを逃げる逃げ穴２０ｇが形成されているとともに、逃げ穴２０ｇを切り抜いた鋼板により、リブ２０ｈを形成している。
【００４３】
ゴムスイッチ４２は、その上面が鍵に形成されたアクチュエータ部３０ｆに当接し、ゴムスイッチ４２のドーム形状部が有する弾性復元力によって鍵を上方へ回動付勢している。  また、ゴムスイッチ４２には、鍵速度を検出するための異なる押鍵位置で接続状態となる２つの接点が備えられ、鍵が押下されると、ゴムスイッチ４２のドーム形状部が膨らみ、導電ゴムにより形成される２つの可動接点が、順次プリント配線基板４０ａに設けられた固定接点に接触することにより固定接点を導通状態にする。押鍵される場合には、まず第１の接点が導通状態にされ、続いて第２の接点が導通状態に変化される。 この２つの接点が導通状態に変化する時間差を検出することにより、押鍵時のベロシティが検出される。
【００４４】
また、離鍵される場合には、まず、第２の接点が非導通状態にされ、続いて第１の接点が非導通状態に変化される。この場合も同様に、非導通状態に変化する時間差を検出することにより離鍵時のベロシティが検出される。なお、ゴムスイッチ４２については、その詳細を後述する。
【００４５】
白鍵および黒鍵には、鍵の内部に鍵の長手方向に対して垂直な鍵ガイド壁３０ｐが設けられ、この鍵ガイド壁３０ｐに長方形の鍵ガイド孔３０ｍが形成されている。この鍵ガイド孔３０ｍと鍵ガイド２０ｄに装着された鍵ガイドブッシュ２２とにより、鍵の上下方向および水平方向の動きが規制される。鍵ガイドブッシュ２２は、補強部材２０の底板部２０ｆを切断してまず底板からほぼ垂直に立ち上げ、さらに立ち上げた先端を底板とほぼ平行になるように折り曲げ加工された鍵ガイド２０ｄに装着されたものである。
【００４６】
また、底板部材１０には、鍵が最下位置まで押下された場合に、鍵に与えられる衝撃を緩和するため、フェルト等の緩衝材からなる鍵ストッパ１２および１４が設けられている。
【００４７】
鍵ストッパ１２は、鍵ガイド壁３０ｐと連結された壁３０ｇに当接するもので、補強部材２０から鍵ガイド２０ｄを形成するために空けられた長穴２０ｆの内部に底板部材１０に一段低く形成した窪み１０ｈに接着剤により固着されている。
【００４８】
鍵ストッパ１４は、鍵の先端部３０ｎに当接するもので、補強部材１０の鍵の先端側の折り曲げ部に接着剤により固着されている。
【００４９】
底板部材１０には、鍵の並び方向に断面が略長方形の突起１０ｊが延設されている。この突起１０ｊは、鍵本体のヒンジ部３０ｉと接続する部分に形成された支点３０ｋの下方に位置し、突起１０ｊと支点３０ｋは、常時離れているが、鍵が強く押下された場合はこの支点３０ｋが突起１０ｊの上面に接触し、ヒンジ部３０ｉが突起１０ｊで支えられる位置より下方へ下がらないように規制されている。このことにより、ヒンジ部３０ｉに大きな力が作用して破損することを防止している。白鍵ユニット３０のヒンジ部３０ｃおよび黒鍵ユニット３２のヒンジ部３２ｃについても同様である。
【００５０】
図５は、鍵ガイド２０ｄの詳細を説明するための図である。図５（ａ）は、図３の補強部材２０の一点鎖線Ａで囲んだ部分の平面図である。図３では、左端の鍵ガイド２０ｄのみ鍵ガイドブッシュ２２が装着された状態で、残りの鍵ガイド２０ｄには、鍵ガイドブッシュ２２が装着されていない状態を示している。図５（ａ）は、鍵ガイドブッシュ２２が装着されていない鍵ガイド２０ｄを示している。図に示すように、鍵ガイド２０ｄは、鍵ガイドブッシュ２２を装着しやすいように、先端がテーパ状に形成され、鍵ガイドブッシュ２２が装着されると、鍵ガイドブッシュ２２が抜けないように、段差が設けられている。
【００５１】
図５（ｂ）は、鍵ガイドブッシュ２２の平面図（上）と正面図（下）であり、正面図に示すように、中央部に鍵ガイド２０ｄに挿入される挿入孔が形成され、上部と下部にはそれぞれ２列の山形の突起が形成されている。これらの突起は、鍵が下限または上限位置に回動した場合に衝撃を緩和するためのものである。
【００５２】
図５（ｃ）は、図４におけるＢ−Ｂ断面視を表す断面図であり、鍵ガイド２０ｄに鍵ガイドブッシュ２２が装着され、白鍵３０ａの鍵ガイド壁３０ｐに形成された長方形（正方形を含む）の鍵ガイド孔３０ｍを示している。この図では、鍵が上限位置に保持されている場合を示しており、長方形の鍵ガイド孔３０ｍの底辺が鍵ガイドブッシュ２２の下面に形成された突起に当接している。
【００５３】
白鍵３０ａが上下に揺動する場合には、鍵ガイドブッシュ２２の左右端が長方形の鍵ガイド孔３０ｍの垂直な辺に沿って動くため、鍵の左右の位置が規制される。
【００５４】
白鍵３０ａが押下された場合は、鍵ガイド孔３０ｍの上辺が鍵ガイドブッシュ２２の上面に形成された突起に当接するとともに、白鍵３０ａの側壁および垂直壁３０ｇ（図４参照）が底板部材１０の上に貼られたクッション１２に当接し、鍵３０ａの下限位置が規制されると同時に下方への衝撃が緩和される。したがって、操作性が良く、演奏者の指には適度な反力が作用する。
【００５５】
図６は、ゴムスイッチ４２について詳細な説明をするための図である。図６（ａ）は、
ゴムスイッチ４２の全体の平面図（上）および正面図（下）である。このゴムスイッチ４２には、全鍵２５鍵それぞれに対応するスイッチが一体に成形されている。この正面図に示されるように、各スイッチの間の下面には、突起４２ｆが形成され、これらの突起がプリント配線基板４０ａの設けられた取り付け穴に挿入される。これらの突起の直径は、プリント配線基板４０ａに設けられた取り付け穴の直径より大きく形成されているため、ゴムスイッチ４２は、プリント配線基板４０ａに固着される。特に両端の突起４２ｇは、先端が太く形成され、強固にプリント配線基板４０ａに固着される。このことにより、ゴムスイッチ４２とプリント配線基板４０ａとの間に隙間が生じ、塵がスイッチ内に進入するのを防いでいる。
【００５６】
図６（ｂ）は、図６（ａ）のＣ−Ｃ断面図である。このスイッチは、第１の可動接点４２ａを有する第１の筒状部と第２の可動接点４２ｂを有する第２の筒状部とからなる被駆動部４２ｈと、この被駆動部４２ｈを支持するスカート部４２ｉとを弾性材（ゴム）により一体成形したものである。第１の可動接点４２ａは、接点の上部に突起４２ｄを形成している。
【００５７】
また、隣り合うスイッチとの間と第１接点側のプリント配線基板に密着する部分には、空気穴４２ｃが形成され、鍵の押下によりスカート部の内部の容積の変化に応じて、空気を外部に排気したり吸気したりするように構成されている。
【００５８】
図６では、第１の可動接点４２ａの上部に突起４２ｄを被駆動部４２ｈとスカート部４２ｉと一体に成形したが、突起を鍵側に設けてもよい。
【００５９】
図７は、押鍵に従ってゴムスイッチ４２が変化する様子を、スイッチに突起を設けた場合と、鍵に突起を設けた場合それぞれについて示したものである。スイッチに突起を設けた場合は、初期状態あるいは押鍵を開始した直後の状態であって、鍵のアクチュエータ部３０ｆがゴムスイッチ４２の被駆動部４２ｈの上面を押圧しているがまだゴムスイッチ４２は、変形を起こしていない状態である。
【００６０】
押圧力が強くなると、ゴムスイッチのスカート部４２ｉが変形を始め、第１の可動接点４２ａがプリント配線基板４０ａに形成された第１の固定接点に接触する。この状態では、第１の可動接点４２ａの上部に形成された突起４２ｄの上部と鍵のアクチュエータ部３０ｆとの間には隙間があり、第２の可動接点４２ｂとプリント配線基板４０ａに形成された第２の固定接点との間にも間隙がある。
【００６１】
さらに被駆動部４２ｈが下方に駆動されると、第２の可動接点４２ｂがプリント配線基板４０ａに形成された第２の固定接点に接触するとほぼ同時に鍵のアクチュエータ部３０ｆと第１の可動接点４２ａの上部に形成された突起４２ｄの上面とが当接する。さらに鍵に押圧力が加わると、弾性材により形成されるスイッチの各部が変形し、第１の可動接点４２ａと第２の可動接点４２ｂが強固にプリント配線基板４０ａに形成される第１の固定接点と第２の固定接点に押圧され押鍵が終了する。
【００６２】
鍵のアクチュエータ部３０ｆに突起を設けた場合も、同じような動作となり、第２の可動接点４２ｂがプリント配線基板４０ａに接触するのとほぼ同時に第１の可動接点４２ａの上面がアクチュエータ部３０ｆに設けられた突起の下面に当接し、第１の可動接点４２ａを押圧する。
【００６３】
従って、いずれの場合にも、第１の可動接点４０ａが一度プリント配線基板に設けられた固定接点に接触した後、鍵に第１の可動接点の上面が当接するので、さらに鍵が押下される過程においてチャタリングが発生することを防止することができる。
【００６４】
以上、上記実施例に基づき本発明を説明したが、本発明は、上記実施例に何ら限定されるものでなく、本発明の趣旨を逸脱しない範囲内で種々の改良変形が可能であることは容易に推察できるものである。
【００６５】
例えば、上記実施例では、一つのゴムスイッチに２つの接点を設け、それらの接点が導通する時間差で押鍵速度を検出する鍵盤装置について説明したが、一つのゴムスイッチに一つの接点を設けた場合であっても、本発明を適用してもよい。すなわち、鍵のストロークの所定の位置で接点が接触し、その後も接点の接触を維持する必要があって、その間に接点がチャタリングを起こすことがある場合には、有効な発明である。
【００６６】
また、ゴムスイッチにより鍵の復帰力を得るように構成したが、バネ等により復帰力を得るようにしてもよい。その場合には、離鍵時にはスイッチの被駆動部が鍵のアクチュエータ部と接触していなくてもよい。
【００６７】
また、上記実施例では、ゴムスイッチ４２の第１の可動接点の上面に突起を設ける場合と、第１の可動接点に対応する鍵の部位に突起を設ける場合について説明したが、第２の可動接点についても同じように突起を設け、第２の接点がチャタリングを起こすことを防ぐようにしてもよい。
【図面の簡単な説明】
【００６８】
【図１】本発明の鍵盤装置の外観斜視図である。
【図２】鍵の分解斜視図である。
【図３】基板と補強部材と底板部材の分解斜視図である。
【図４】白鍵を組み立て断面図である。
【図５】鍵ガイドの詳細図である。
【図６】ゴムスイッチの詳細な図である。
【図７】ゴムスイッチが押鍵に従って変化する様子を示す図である。
【符号の説明】
【００６９】
１                  鍵盤装置
２                  上部パネル
１０                底板部材
１２                鍵ストッパ
１４                鍵ストッパ
２０                補強部材
３０                白鍵ユニット
３２                黒鍵ユニット
４０                スイッチ基板部
４０ａ              プリント配線基板
４２                ゴムスイッチ
４２ａ              第１の可動接点
４２ｂ              第２の可動接点
４２ｄ              突起
４２ｈ              被駆動部
４２ｉ              スカート部
【図１】
2005208468.tif 000003
【図２】
2005208468.tif 000004
【図３】
2005208468.tif 000005
【図４】
2005208468.tif 000006
【図５】
2005208468.tif 000007
【図６】
2005208468.tif 000008
【図７】
2005208468.tif 000009